(57)【要約】【課題】火炎を精度良く検知できるバーナおよび熱源機を提供する。【解決手段】バーナ３は、燃料ノズル３１と、バーナコーン３２と、火炎検知部３３とを備えている。燃料ノズル３１は燃料を供給するためのものである。バーナコーン３２は、燃料ノズルが燃料を供給する方向において燃料ノズル３１よりも前方に配置されており、第１の貫通孔３２ｂが設けられた第１の周壁部３２ａを有し、第１の周壁部３２ａの内周側で燃料ノズル３１から供給された燃料を燃焼させて火炎を生じさせるための円筒状のものである。火炎検知部３３は第１の周壁部３２ａの外周側に配置され、かつ第１の貫通孔３２ｂから火炎を検知可能なものである。【選択図】図２
2015137819.tif 000002
【特許請求の範囲】
【請求項１】
燃料を供給するための燃料ノズルと、
前記燃料ノズルが前記燃料を供給する方向において前記燃料ノズルよりも前方に配置されており、第１の貫通孔が設けられた第１の周壁部を有し、前記第１の周壁部の内周側で前記燃料ノズルから供給された前記燃料を燃焼させて火炎を生じさせるための円筒状のバーナコーンと、
前記第１の周壁部の外周側に配置され、かつ前記第１の貫通孔から前記火炎を検知可能な火炎検知部とを備えた、バーナ。
【請求項２】
第２の貫通孔が設けられた第２の周壁部を有し、かつ前記第１の貫通孔に前記第２の貫通孔が重なるように前記第１の周壁部の外周側に前記第１の周壁部と間隔をあけて前記バーナコーンと同軸上に配置された円筒状の整流筒をさらに備え、
前記火炎検知部は、前記整流筒の前記第２の周壁部の外周側に配置され、かつ前記第１の貫通孔および前記第２の貫通孔から前記火炎を検知可能に構成されている、請求項１に記載のバーナ。
【請求項３】
前記バーナコーンおよび前記整流筒を収容し、かつ前記第２の周壁部の外周側に前記第２の周壁部と間隔をあけて配置された側壁を有するバーナケースをさらに備え、
前記側壁に前記火炎検知部が設置されている、請求項２に記載のバーナ。
【請求項４】
前記バーナケースは、保持面をさらに備え、
前記保持面は凸部を含み、
前記整流筒の軸方向端部は凹部を含み、
前記凸部が前記凹部に嵌合した状態で前記第１の貫通孔に前記第２の貫通孔が重なっている、請求項３項に記載のバーナ。
【請求項５】
前記火炎検知部は、フォトダイオードである、請求項１〜４のいずれか１項に記載のバーナ。
【請求項６】
前記請求項１〜５のいずれか１項に記載のバーナを備えた、熱源機。
【発明の詳細な説明】
【技術分野】
【０００１】
本発明は、バーナおよび熱源機に関するものである。
【背景技術】
【０００２】
熱源機のバーナには、いわゆるガンタイプバーナといわれる、噴霧ノズルを備えた灯油などの燃料を燃焼させるバーナが用いられることがある。このガンタイプバーナでは、噴霧ノズルから灯油などの燃料が噴霧されるとともに、噴霧ノズルの周りから燃焼用の空気が供給されることによって、拡散火炎による燃焼が生じる。
【０００３】
ガンタイプバーナの燃焼の有無を検知するために、火炎検知部によって火炎が検知される。この火炎検知部は、設置し易いため噴霧ノズルの手前側に配置されている。また、この火炎検知部としてフォトダイオードが用いられることがある。
【０００４】
たとえば、特開平７−２３９１２２号公報（特許文献１）には、火炎検知部としてフォトダイオードが用いられることは記載されていないが、噴霧ノズルの手前側に火炎検知部が配置されたバーナが記載されている。
【先行技術文献】
【特許文献】
【０００５】
【特許文献１】特開平７−２３９１２２号公報
【発明の概要】
【発明が解決しようとする課題】
【０００６】
上記公報では、火炎検知部が噴霧ノズルの手前側に配置されているため、火炎検知部によって火炎の延びる方向に火炎が検知される。このため、火炎検知部によって火炎の根元側から先端側に渡って青火から赤火の火炎が検知される。火炎検知部としてフォトダイオードが用いられた場合、フォトダイオードは検知波長の範囲が狭いため、青火から赤火に渡って広範囲の波長の火炎を検知することは困難である。したがって、フォトダイオードが噴霧ノズルの手前側に配置されている場合、火炎を精度良く検知することが難しいという問題がある。
【０００７】
本発明は、上記の課題を鑑みてなされたものであり、火炎を精度良く検知できるバーナおよび熱源機を提供することである。
【課題を解決するための手段】
【０００８】
本発明のバーナは、燃料ノズルと、バーナコーンと、火炎検知部とを備えている。燃料ノズルは燃料を供給するためのものである。バーナコーンは、燃料ノズルが燃料を供給する方向において燃料ノズルよりも前方に配置されており、第１の貫通孔が設けられた第１の周壁部を有し、第１の周壁部の内周側で燃料ノズルから供給された燃料を燃焼させて火炎を生じさせるための円筒状のものである。火炎検知部は第１の周壁部の外周側に配置され、かつ第１の貫通孔から火炎を検知可能なものである。
【０００９】
本発明のバーナによれば、火炎検知部は、燃料ノズルが燃料を供給する方向において燃料ノズルよりも前方に配置されたバーナコーンの第１の周壁部の外周側に配置され、第１の周壁部に設けられた第１の貫通孔から火炎を検知する。第１の貫通孔から検知される火炎は、燃料ノズルから離れた位置にあり、バーナの燃料能力範囲において赤火である。このため、火炎検知部は検知波長が短くても火炎を検知することができる。また、火炎検知部は、第１の周壁部に設けられた第１の貫通孔から火炎を検知するため、火炎の延びる方向に対して交差する方向に火炎が検知される。したがって、火炎の延びる方向と火炎検知部が火炎を検知する方向とがなす角度は大きいため、火炎の延びる方向に比べて火炎の色の変化が小さい。すなわち、火炎検知部が検知する火炎の波長は赤火の波長範囲内である。よって、火炎検知部は検知波長が短くても火炎を検知することができる。したがって、火炎検知部は火炎を精度良く検知できる。
【００１０】
上記のバーナにおいては、整流筒をさらに備えている。整流筒は第２の貫通孔が設けられた第２の周壁部を有し、かつ第１の貫通孔に前記第２の貫通孔が重なるように第１の周壁部の外周側に第１の周壁部と間隔をあけてバーナコーンと同軸上に配置された円筒状のものである。火炎検知部は、整流筒の第２の周壁部の外周側に配置され、かつ第１の貫通孔および第２の貫通孔から火炎を検知可能に構成されている。このため、火炎から火炎検知部までの距離を大きくすることができる。また、バーナコーンの第１の周壁部と整流筒の第２の周壁部との間に空気が流れる。したがって、火炎検知部の動作環境温度を低くすることができるため、火炎検知部の故障を抑制することができる。
【００１１】
上記のバーナにおいては、バーナケースをさらに備えている。バーナケースはバーナコーンおよび整流筒を収容し、かつ第２の周壁部の外周側に第２の周壁部と間隔をあけて配置された側壁を有する。側壁に火炎検知部が設置されている。このため、火炎から火炎検知部までの距離を大きくすることができる。また、整流筒の第２の周壁部と火炎検知部との間にも空気が流れる。したがって、火炎検知部の動作環境温度を低くすることができるため、火炎検知部の故障を抑制することができる。
【００１２】
上記のバーナにおいては、バーナケースは、保持面をさらに備えている。保持面は凸部を含んでいる。整流筒の軸方向端部は凹部を含んでいる。凸部が凹部に嵌合した状態で第１の貫通孔に第２の貫通孔が重なっている。このため、バーナケースの凸部に整流筒の凹部を嵌合させることで第１の貫通孔に第２の貫通孔が重なるようにバーナケースに整流筒を位置決めすることができる。これにより、第１の貫通孔と第２の貫通孔との位置のずれによって火炎検知部が火炎を検知できないことを防止できる。
【００１３】
上記のバーナにおいては、火炎検知部は、フォトダイオードである。このため、火炎検知部に検知波長が短いフォトダイオードを用いることができる。フォトダイオードはコストが低いため、バーナのコストを低減することができる。
【００１４】
本発明の熱源機は上記のバーナを備えている。このため、火炎を精度良く検知することができるバーナを備えた熱源機を得ることができる。
【発明の効果】
【００１５】
以上説明したように、本発明によれば、精度良く火炎を検知することができるバーナおよびそれを備えた熱源機を提供することができる。
【図面の簡単な説明】
【００１６】
【図１】本発明の一実施の形態における熱源機の構成を概略的に示す概略図である。
【図２】本発明の一実施の形態におけるバーナの構成を概略的に示す部分破断断面図である。
【図３】本発明の一実施の形態におけるバーナの構成を概略的に示す部分斜視図である。
【図４】本発明の一実施の形態におけるフォトダイオードの構成を概略的に示す断面図である。
【図５】本発明の一実施の形態における整流筒がバーナケースに位置決めされた状態を概略的に示す斜視図である。
【図６】図５のＰ部を示す拡大正面図である。
【図７】図５のＰ部の整流筒を示す拡大図である。
【図８】図５のＰ部のバーナケースを示す拡大図である。
【図９】本発明の一実施の形態におけるバーナの燃焼状態を示す図である。
【図１０】比較例のバーナの燃焼状態を示す図である。
【発明を実施するための形態】
【００１７】
以下、本発明の一実施の形態について図に基づいて説明する。
まず本発明の実施の形態の熱源機の構成について説明する。
【００１８】
図１を参照して、本実施の形態の熱源機１は、ハウジング２と、バーナ３と、送風機４と、一次熱交換器５と、二次熱交換器６と、排気集合筒７と、消音器８と、中和器９と、配管１０と、給水配管１１、入水口１１ａと、給湯配管１２と、出湯口１２ａと、燃料配管１３とを主に有している。
【００１９】
ハウジング２は、一次熱交換器５、二次熱交換器６、排気集合筒７、消音器８、中和器９、配管１０、給水配管１１および給湯配管１２を内部に収容可能に構成されている。ハウジング２の前面に排気口ＥＰが設けられている。排気口ＥＰは一次熱交換器５によって顕熱が回収され、二次熱交換器６によって潜熱が回収された燃焼ガスをハウジング２の外部に排気可能に構成されている。また、ハウジング２の側面には給水のための入水口１１ａと給湯のための出湯口１２ａとが設けられている。
【００２０】
バーナ３は、一次熱交換器５および二次熱交換器６との間で熱交換を行なうための燃焼ガスを発生させて一次熱交換器５および二次熱交換器６に供給するためのものである。バーナ３は、図示しない燃料供給源から燃料配管１３を経由して供給されてきた灯油などの燃料を下向きに噴霧して燃焼させる逆燃式の装置である。具体的にはバーナ３はたとえばガンタイプバーナである。
【００２１】
送風機４は、バーナ３に対して燃焼に必要な空気を供給するためのものである。送風機４は、バーナ３の上方から燃焼用空気を下向きに供給可能に構成されている。具体的には送風機４はたとえばファンである。
【００２２】
一次熱交換器５は顕熱回収型の熱交換器である。高温の燃焼ガスとの熱交換によって一次熱交換器５内の湯水が加熱される。二次熱交換器６は潜熱回収型の熱交換器である。一次熱交換器５で熱交換した後の燃焼ガスが二次熱交換器６へ通されることで二次熱交換器６内の水が予熱される。この過程で燃焼ガスの温度が６０℃程度まで下がることで、燃焼ガス中に含まれる水分が凝縮して潜熱を得ることができる。
【００２３】
一次熱交換器５の一方端と二次熱交換器６の一方端とは互いに配管１０によって接続されている。二次熱交換器６の他方端には給水配管１１が接続されており、一次熱交換器５の他方端には給湯配管１２が接続されている。一次熱交換器５は二次熱交換器６よりもバーナ３の近くに配置されている。
【００２４】
排気集合筒７および消音器８は一連に繋がった燃焼ガス流路を構成している。排気集合筒７は一次熱交換器５および二次熱交換器６の下流側に位置している。消音器８は排気集合筒７の下流側に位置している。図１中矢印で示すように、バーナ３で発生した燃焼ガスは、一次熱交換器５および二次熱交換器６の周囲を通過して一次熱交換器５および二次熱交換器６内の水と熱交換した後、排気集合筒７を通って消音器８に送られ、排気口ＥＰからハウジング２外に排出される。
【００２５】
上記のとおり二次熱交換器６において燃焼ガスの水蒸気を凝縮させる構造上、凝縮した水（ドレン）が発生するためドレンの排水が必要である。二次熱交換器６の下側に中和器９が配置されており、二次熱交換器６から中和器９にドレンが排水される。燃焼ガス中には窒素酸化物などが含まれるため、これがドレンに溶け込んでドレンは酸性となる。中和器９はこの酸性のドレンを中和するためのものである。中和器９内には酸性のドレンを中和するための中和剤が充填されている。中和器９で中和されたドレンは図示しない排水路を通ってハウジング２外に排出される。
【００２６】
入水口１１ａは給水配管１１に接続されており給水配管１１を経由して一次熱交換器５および二次熱交換器６に水を給水可能に構成されている。出湯口１２ａは給湯配管１２に接続されており一次熱交換器５および二次熱交換器６で温められた温水を給湯可能に構成されている。これにより、入水口１１ａから給水された水は、一次熱交換器５および二次熱交換器６を通過する際に燃焼ガスによって加熱されて出湯口１２ａから給湯される。
【００２７】
次に、図２および図３を参照して、本実施の形態のバーナ３の構成についてさらに詳しく説明する。なお、図２においては、説明の便宜のため、バーナ３の一部が破断して示されている。また、図３においては、説明の便宜のため、バーナ３の一部が破線で示されている。
【００２８】
バーナ３は、一次空気筒３０と、燃料ノズル３１と、バーナコーン３２と、火炎検知部３３と、整流筒３４と、バーナケース３５と、点火器３６と、拡散板３７とを主に有している。一次空気筒３０内において燃料ノズル３１はバーナケース３５の上面に接続されている。一次空気筒３０内において燃料ノズル３１の先端の噴出口の近傍に点火器３６が配置されている。火炎検知部３３はバーナケース３５の側壁３５ａに取り付けられている。一次空気筒３０、燃料ノズル３１、バーナコーン３２、火炎検知部３３、整流筒３４、点火器３６はバーナケース３５の内部に配置されている。また、バーナケース３５の上面に送風機４がバーナケース３５の内部に送風可能に接続されている。
【００２９】
バーナケース３５の保持面３５ｂに拡散板３７が取り付けられている。拡散板３７はバーナコーン３２の中心部を通って径方向に延びるように形成されている。拡散板３７はバーナコーン３２の径方向の一部を遮るように形成されている。この拡散板３７によって火炎が分けられて火炎の渦が発生する。これにより、火炎の均一化が実現される。また拡散板３７は火炎が一次熱交換器５に達するのを防ぐこともできる。
【００３０】
一次空気筒３０は、バーナケース３５の上面側から見て、燃料ノズル３１を同軸状に囲むように設けられている。一次空気筒３０はバーナコーン３２の上方に配置されている。一次空気筒３０は底部に向かって径が小さくなるように湾曲しており、底部に開口を有している。一次空気筒３０は、底部の開口を通って燃料ノズル３１から下向きに噴霧された燃料がバーナコーン３２の内側に供給されるように構成されている。
【００３１】
燃料ノズル３１は燃料を供給するためのものである。燃料ノズル３１は燃料配管１３に接続されており、燃料配管１３を介して図示しない燃料供給源と接続されている。燃料ノズル３１は燃料配管１３を経由して供給されてきた灯油などの燃料をバーナコーン３２の内側に向かって下向きに噴霧するように構成されている。
【００３２】
バーナコーン３２は燃料ノズルが燃料を供給する方向において燃料ノズル３１よりも前方に配置されている。本実施の形態のバーナ３は逆燃式であるためバーナコーン３２は燃料ノズル３１よりも下方に配置されている。バーナコーン３２は円筒状に形成されている。具体的にはバーナコーン３２は燃料ノズル３１側に配置された小径部と、小径部に対して燃料ノズル３１と反対側に配置された大径部とを有している。バーナコーン３２は第１の周壁部３２ａを有している。バーナコーン３２は第１の周壁部３２ａの内周側で燃料ノズル３１から供給された燃料を燃焼させて火炎を生じさせるためのものである。第１の周壁部３２ａには第１の貫通孔３２ｂが設けられている。具体的には、第１の貫通孔３２ｂは大径部に形成されている。第１の貫通孔３２ｂは複数個形成されている。複数の第１の貫通孔３２ｂはバーナコーン３２の周方向に略等間隔で配置されている。複数の第１の貫通孔３２ｂは略同じ高さに配置されている。なお、バーナコーン３２の小径部にも複数の貫通孔が形成されている。
【００３３】
火炎検知部３３は、第１の周壁部３２ａの外周側に配置されている。火炎検知部３３は第１の貫通孔３２ｂから火炎を検知可能に構成されている。火炎検知部３３は、バーナコーン３２の外周側に位置し、バーナコーン３２の内周側に火炎を検知するように構成されている。火炎検知部３３はバーナ３の上下方向に直交する方向にバーナコーン３２の内側に向けて配置されていてもよい。火炎検知部３３は燃料ノズル３１、バーナコーン３２および整流筒３４の同軸に対して直交するように配置されていてもよい。具体的には火炎検知部３３はフォトダイオードである。このフォトダイオードはフォトＩＣダイオードであってもよい。
【００３４】
ここで図４を参照して、フォトＩＣダイオードの構成について説明する。フォトＩＣダイオードは、モールド樹脂３３ａと、ＩＣチップ３３ｂと、ダイボンド樹脂３３ｃと、ボンディングワイヤ３３ｄと、リード３３ｅと、接合材３３ｆとを有している。モールド樹脂３３ａはＩＣチップ３３ｂを封止している。モールド樹脂３３ａはたとえばエポキシ樹脂であり透明な樹脂である。モールド樹脂３３ａは円柱状に形成されている。ＩＣチップ３３ｂは受光部を有しており、モールド樹脂３３ａの径方向の中心において図中矢印方向から火炎を検知可能に構成されている。ＩＣチップ３３ｂはダイボンド樹脂３３ｃによってリード３３ｅに接続されている。ダイボンド樹脂３３ｃはたとえばエポキシ樹脂に銀を混合した樹脂である。ＩＣチップ３３ｂは、たとえば金からなるボンディングワイヤ３３ｄによってリード３３ｅに電気的に接続されている。リード３３ｅはモールド樹脂３３ａに接合材３３ｆによって接合されている。接合材３３ｆはたとえばはんだである。
【００３５】
整流筒３４はバーナケース３５の周囲に空気を流すためのものである。整流筒３４は円筒状に形成されている。整流筒３４は第２の周壁部３４ａを有している。第２の周壁部３４ａには第２の貫通孔３４ｂが設けられている。整流筒３４は、第１の貫通孔３２ｂに第２の貫通孔３４ｂが重なるように第１の周壁部３２ａの外周側に第１の周壁部３２ａと間隔をあけてバーナコーン３２と同軸上に配置されている。
【００３６】
図２、図３および図５を参照して、バーナケース３５はバーナコーン３２および整流筒３４を収容するように構成されている。バーナケース３５は、上面と、側壁３５ａと、保持面（底面）３５ｂとを有している。側壁３５ａは第２の周壁部３４ａの外周側に第２の周壁部３４ａと間隔をあけて配置されている。側壁３５ａに火炎検知部３３が設置されている。
【００３７】
保持面３５ｂは凸部３５ｃを含んでいる。また、整流筒３４の軸方向端部３４ｃは凹部３４ｄを含んでいる。凸部３５ｃが凹部３４ｄに嵌合した状態で第１の貫通孔３２ｂに第２の貫通孔３４ｂが重なっている。
【００３８】
図６を参照して、凸部３５ｃは中心から両側に延びる２つの斜面を有している。２つの斜面同士のなす角度はたとえば９０度である。図７を参照して、凹部３４ｄはＶ字状に形成された２つの斜辺を有している。２つの斜辺同士のなす角度はたとえば９５度である。図６〜８を参照して、整流筒３４の内周面がバーナケース３５の保持面３５ｂから上方に延びる立ち上がり部３５ｄの外周面に沿うように整流筒３４がバーナケース３５の保持面３５ｂに設置される。この際、凸部３５ｃが凹部３４ｄに嵌合されることで整流筒３４がバーナケース３５に位置決めされる。これにより、第１の貫通孔３２ｂに第２の貫通孔３４ｂを容易に重ねることができる。また、凸部３５ｃの２つの斜面同士のなす角度よりも凹部３４ｄの２つの斜辺同士のなす角度が大きいため凸部３５ｃに凹部３４ｄを嵌めやすい。このため、バーナケース３５への整流筒３４の位置決め作業が容易である。
【００３９】
次に、本実施の形態のバーナの動作について説明する。
図９を参照して、送風機４から空気がバーナケース３５内に供給される。この空気の一部は一次空気筒３０内に図示しない導入口を通って導入される。またこの空気の別の一部は整流筒３４に導入され、その一部はバーナコーン３２の小径部の複数の貫通孔および大径部の複数の第１の貫通孔３２ｂからバーナコーン３２内に導入される。残りの空気はバーナケース３５と整流筒３４との間を流れる。一次空気筒３０内に入った空気は燃料ノズル３１側へ流れ、燃料ノズル３１から下方へ噴霧された燃料と一緒に一次空気筒３０の底部の開口からバーナコーン３２内へ送り込まれる。
【００４０】
この燃料が点火器３６によって着火され、バーナコーン３２内で燃焼する。つまり、バーナコーン３２内において、燃料の噴霧方向（図中矢印Ａ方向）に拡散火炎が発生する。この図中矢印Ａ方向は、燃料ノズル３１、バーナコーン３２、整流筒３４の同軸方向である。火炎検知部３３は、第１の貫通孔３２ｂおよび第２の貫通孔３４ｂを通して、バーナコーン３２内の火炎を検知する。火炎検知部３３は、図中矢印Ａ方向に延びる火炎と交差する図中矢印Ｂ方向に火炎を検知する。バーナ３の上下方向において、第１の貫通孔３２ｂはバーナ３の下方に配置されているため、第１の貫通孔３２ｂから検知される火炎は赤火である。したがって、第１の貫通孔３２ｂから検知される火炎は照度が高い。また、火炎の延びる方向では青火から赤火に渡って火炎が発生するが、第１の貫通孔３２ｂの位置では火炎は赤火であるため、火炎の延びる方向と直交する方向に火炎を検知すると赤火だけを検知することができる。したがって、検知波長の範囲が狭いフォトダイオードであっても火炎を精度良く検知することができる。
【００４１】
次に本実施の形態の作用効果について比較例と対比して説明する。
図１０を参照して本実施の形態の比較例では、フォトダイオード４０がバーナケース３５の上面に接続されており、燃料ノズル３１の手前側に配置されている。このフォトダイオード４０は図中矢印Ｃ方向に示すように火炎の延びる方向に火炎を検知する。具体的には火炎の延びる方向（図中矢印Ａ方向）とフォトダイオード４０が火炎を検知する方向（図中矢印Ｃ方向）とは一致していないが、図中矢印Ａ方向と図中矢印Ｃ方向とがなす角度は小さい。このため、フォトダイオード４０が火炎を検知する方向には青火から赤火に渡って広範囲の波長の火炎が存在する。つまり、フォトダイオード４０が火炎を検知する方向には青火から赤火に渡って広範囲の波長の火炎が重畳している。しかしながら、フォトダイオードは検知波長の範囲が狭いため、青火から赤火に渡って火炎を検知することは困難である。したがって、比較例ではフォトダイオード４０は火炎を精度良く検知できない。
【００４２】
これに対して、本実施の形態のバーナ３によれば、火炎検知部３３は、燃料ノズル３１よりも下方に配置されたバーナコーン３２の第１の周壁部３２ａの外周側に配置され、第１の周壁部３２ａに設けられた第１の貫通孔３２ｂから火炎を検知する。第１の貫通孔３２ｂから検知される火炎は、燃料ノズル３１から下方に離れた位置にあり、バーナ３の燃料能力範囲において赤火である。このため、火炎検知部３３は検知波長が短くても火炎を検知することができる。また、火炎検知部３３は、第１の周壁部３２ａに設けられた第１の貫通孔３２ｂから火炎を検知するため、火炎の延びる方向に対して交差する方向に火炎が検知される。したがって、火炎の延びる方向と火炎検知部３３が火炎を検知する方向とがなす角度は大きいため、火炎の延びる方向に比べて火炎の色の変化が小さい。すなわち、火炎検知部３３が検知する火炎の波長は赤火の波長範囲内である。よって、火炎検知部３３は検知波長が短くても火炎を検知することができる。したがって、火炎検知部３３は火炎を精度良く検知できる。
【００４３】
また、火炎検知部３３はバーナコーン３２の第１の周壁部３２ａの外周側に配置されているため、火炎が逆火しても、火炎検知部３３に火炎が達しない。これにより、火炎検知部３３の動作環境温度を低くすることができるため、火炎検知部３３の故障を抑制することができる。
【００４４】
本実施の形態のバーナ３においては、火炎検知部３３は、整流筒３４の第２の周壁部３４ａの外周側に配置され、かつ第１の貫通孔３２ｂおよび第２の貫通孔３４ｂから火炎を検知可能に構成されている。このため、火炎から火炎検知部３３までの距離を大きくすることができる。また、バーナコーン３２の第１の周壁部３２ａと整流筒３４の第２の周壁部３４ａとの間に空気が流れる。したがって、火炎検知部３３の動作環境温度を低くすることができるため、火炎検知部３３の故障を抑制することができる。また、一次空気筒３０内部よりもバーナコーン３２と整流筒３４との間の方が空気量が多くなる。これによっても、火炎検知部３３の動作環境温度を低くすることができる。
【００４５】
本実施の形態のバーナ３においては、第２の周壁部３４ａの外周側に第２の周壁部３４ａと間隔をあけて配置された側壁３５ａに火炎検知部３３が設置されている。このため、火炎から火炎検知部３３までの距離をさらに大きくすることができる。また、整流筒３４の第２の周壁部３４ａと火炎検知部３３との間にも空気が流れる。したがって、火炎検知部３３の動作環境温度をさらに低くすることができるため、火炎検知部３３の故障を抑制することができる。
【００４６】
本実施の形態のバーナ３においては、保持面３５ｂの凸部３５ｃが整流筒３４の軸方向端部３４ｃの凹部３４ｄに嵌合した状態で第１の貫通孔３２ｂに第２の貫通孔３４ｂが重なっている。このため、バーナケース３５の凸部３５ｃに整流筒３４の凹部３４ｄを嵌合させることで第１の貫通孔３２ｂに第２の貫通孔３４ｂが重なるようにバーナケース３５に整流筒３４を位置決めすることができる。これにより、第１の貫通孔３２ｂと第２の貫通孔３４ｂとの位置のずれによって火炎検知部３３が火炎を検知できないことを防止できる。
【００４７】
本実施の形態のバーナ３においては、火炎検知部３３は、フォトダイオードである。このため、火炎検知部３３に検知波長が短いフォトダイオードを用いることができる。フォトダイオードはコストが低いため、バーナ３のコストを低減することができる。
【００４８】
本発明の熱源機１は上記のバーナ３を備えているため、火炎を精度良く検知することができるバーナ３を備えた熱源機１を得ることができる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５０】
１  熱源機、２  ハウジング、３  バーナ、４  送風機、５  一次熱交換器、６  二次熱交換器、７  排気集合筒、８  消音器、９  中和器、１０  配管、１１  給水配管、１１ａ  入水口、１２  給湯配管、１２ａ  出湯口、１３  燃料配管、３０  一次空気筒、３１  燃料ノズル、３２  バーナコーン、３２ａ  第１の周壁部、３２ｂ  第１の貫通孔
３３  火炎検知部、３３ａ  モールド樹脂、３３ｂ  チップ、３３ｃ  ダイボンド樹脂、３３ｄ  ボンディングワイヤ、３３ｅ  リード、３３ｆ  接合材、３４  整流筒、３４ａ  第２の周壁部、３４ｂ  第２の貫通孔、３４ｃ  軸方向端部、３４ｄ  凹部、３５  バーナケース、３５ａ  側壁、３５ｂ  保持面、３５ｃ  凸部、３５ｄ  立ち上がり部、３６  点火器、３７  拡散板、ＥＰ  排気口。
【図１】
2015137819.tif 000003
【図２】
2015137819.tif 000004
【図３】
2015137819.tif 000005
【図４】
2015137819.tif 000006
【図５】
2015137819.tif 000007
【図６】
2015137819.tif 000008
【図７】
2015137819.tif 000009
【図８】
2015137819.tif 000010
【図９】
2015137819.tif 000011
【図１０】
2015137819.tif 000012